(57)【要約】【課題】広告への応答に対する報酬として、インターネットを介さず物理的に報酬を提供する。【解決手段】報酬排出口を備えた報酬提供装置１００は、携帯端末１０にアプリケーションサーバ３００からアプリケーションをダウンロードさせ、または携帯端末１０から携帯端末１０の識別子を受信し、ウェブサービスサーバ２００が提供するウェブサービスの会員登録を行わせる行為に対して、報酬排出口を介して即時かつ物理的に報酬を提供することを可能とする。【選択図】図１
2014241006.tif 000002
【特許請求の範囲】
【請求項１】
報酬商品の排出口を備え、携帯端末と通信可能に接続された報酬提供装置であって、
所定のアプリケーションを当該携帯端末にダウンロードさせるための情報を、当該携帯端末に送信するダウンロード指示手段と、
前記携帯端末から、前記ダウンロードの進捗状況を受信する進捗確認手段と、
前記受信した進捗に応じて、所定の報酬商品を前記報酬商品の排出口を介して提供する報酬提供手段と、
を備えることを特徴とする報酬提供装置。
【請求項２】
報酬商品の排出口を備え、携帯端末、及びウェブサービス提供サーバと通信可能に接続された報酬提供装置であって、
前記携帯端末から、当該携帯端末、又はその使用者の少なくともいずれかを識別可能な識別子を受信する識別子受信手段と、
前記ウェブサービス提供サーバが提供するウェブサービスにおける、前記識別子の会員登録状況を確認する会員登録状況確認手段と、
前記会員登録状況が、識別子が登録されていない状態から、識別子が登録された状態に変化したことを確認した場合に、所定の報酬商品を前記報酬商品の排出口を介して提供する報酬提供手段と、
を備えることを特徴とする報酬提供装置。
【請求項３】
近距離無線通信を行うための通信部を備え、前記携帯端末との通信を、近距離無線通信により行う請求項１又は請求項２に記載の報酬提供装置。
【請求項４】
前記所定の報酬商品ごとに、提供が行われる確率が記憶された報酬商品データベースを備え、前記報酬提供手段において、当該確率に基づいて報酬商品を前記報酬商品の排出口を介して提供する請求項１乃至３のいずれか一項に記載の報酬提供装置。
【請求項５】
報酬商品の排出口を備え、携帯端末と通信可能に接続された報酬提供装置に、
所定のアプリケーションを当該携帯端末にダウンロードさせるための情報を、当該携帯端末に送信するステップと、
前記携帯端末から、前記ダウンロードの進捗状況を受信するステップと、
前記受信した進捗に応じて、所定の報酬商品を前記報酬商品の排出口を介して提供するステップと、
を実行させることを特徴とする報酬提供方法。
【請求項６】
報酬商品の排出口を備え、携帯端末と通信可能に接続された報酬提供装置に、
所定のアプリケーションを当該携帯端末にダウンロードさせるための情報を、当該携帯端末に送信するステップ、
前記携帯端末から、前記ダウンロードの進捗状況を受信するステップ、
前記受信した進捗に応じて、所定の報酬商品を前記報酬商品の排出口を介して提供するステップ、
を実行させることを特徴とする報酬提供装置用プログラム。
【発明の詳細な説明】
【技術分野】
【０００１】
本発明は、通信可能に接続された携帯端末に所定の動作をさせ、その対価として報酬を提供する報酬提供装置に関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。
【０００３】
また、インターネットを介したウェブブラウジングが一般的になるにつれて、従来は新聞や雑誌の誌面、テレビやラジオ放送等で行われていた広告が、インターネット上で広く行われている。特に、インターネットの双方向性を利用し、広告が与えた影響をユーザごとに測定することで、広告効果を精密に測定することが可能となっている。
【０００４】
そのため、広告主はインターネット上で会員登録や、資料請求、アプリケーションのダウンロード等を行ったユーザに対して、ポイントといった報酬を提供したり、有償であるべきサービスを無料で提供したりするなどして、広告に対する報酬の付与を行っている。しかしながら、これらの報酬は、インターネットを介してやり取りすることが可能であるものに限定されるという制約を受けていた。
【０００５】
このような課題に対して、新聞や雑誌等の媒体に掲載された懸賞応募付き広告に対して、携帯電話で通信できる場所から簡単に応募できる懸賞付き広告支援システムが開示されている。
【先行技術文献】
【特許文献】
【０００６】
【特許文献１】特開２００６−１８５１７８号公報
【発明の概要】
【発明が解決しようとする課題】
【０００７】
特許文献１では、懸賞情報を読み取る撮像手段と、前記撮像手段で読み取られた前記懸賞情報に基づいて、設問内容をディスプレイ部に表示して応募に必要な処理を行う懸賞応募処理手段と、前記撮像手段で読み取られた送信先情報に基づいて、前記設問内容の回答及び前記懸賞応募処理手段に予め記録された個人情報を送信する応募送信手段を具備する携帯電話を用いて懸賞への応募を行う懸賞付き広告支援システムが開示されている。
【０００８】
しかしながら、特許文献１に記載の手法は、報酬が実際に応募者へ提供されるまでは、懸賞の集計期間、及び商品の郵送期間を要する。そのため、商品はインターネットを介して提供可能なものに限定されないものの、携帯端末を利用することによる即時性や双方向性にも関わらず、報酬の提供までに時間や手間がかかってしまうという問題がある。
【０００９】
そこで本発明の発明者は、広告の報酬として実際の物品を即座に払い出す報酬装置を発明し、携帯端末と近距離無線通信等で通信を行うことで、消費者のインセンティブを特に強化できることに注目した。すなわち、本発明を用いる事で、携帯端末を利用することによる双方向性を用いて広告効果を精密に測定しつつ、その報酬をインターネットを介さずに提供できる点に着目した。
【００１０】
更に、本発明の発明者は、広告の種類に関しては商品の売買ではなく、今日携帯端末の利用者を対象に広まっているアプリケーションのダウンロード、及びウェブサービスの会員登録とすることで、携帯端末を用いる実際の利用態様において効果的であることに着目した。
【００１１】
本発明は、これらの課題に鑑み、携帯端末にアプリケーションをダウンロードさせ、または携帯端末を用いて会員登録を行わせる行為に対して、報酬排出口を介して即時かつ物理的に報酬を提供する報酬提供装置を提供することを目的とする。
【課題を解決するための手段】
【００１２】
本発明では、以下のような解決手段を提供する。
【００１３】
第１の特徴に係る発明は、報酬商品の排出口を備え、携帯端末と通信可能に接続された報酬提供装置であって、
所定のアプリケーションを当該携帯端末にダウンロードさせるための情報を、当該携帯端末に送信するダウンロード指示手段と、
前記携帯端末から、前記ダウンロードの進捗状況を受信する進捗確認手段と、
前記受信した進捗に応じて、所定の報酬商品を前記報酬商品の排出口を介して提供する報酬提供手段と、
を備えることを特徴とする報酬提供装置を提供する。
【００１４】
第１の特徴に係る発明によれば、報酬商品の排出口を備え、携帯端末と通信可能に接続された報酬提供装置は、所定のアプリケーションを当該携帯端末にダウンロードさせるための情報を、当該携帯端末に送信し、前記携帯端末から、前記ダウンロードの進捗状況を受信し、前記受信した進捗に応じて、所定の報酬商品を前記報酬商品の排出口を介して提供する。
【００１５】
第１の特徴に係る発明は、報酬提供装置のカテゴリであるが、報酬提供方法及び、報酬提供装置用プログラムであってもカテゴリに応じた同様の作用、効果を奏する。
【００１６】
第２の特徴に係る発明は、報酬商品の排出口を備え、携帯端末、及びウェブサービス提供サーバと通信可能に接続された報酬提供装置であって、
前記携帯端末から、当該携帯端末、又はその使用者の少なくともいずれかを識別可能な識別子を受信する識別子受信手段と、
前記ウェブサービス提供サーバが提供するウェブサービスにおける、前記識別子の会員登録状況を確認する会員登録状況確認手段と、
前記会員登録状況が、識別子が登録されていない状態から、識別子が登録された状態に変化したことを確認した場合に、所定の報酬商品を前記報酬商品の排出口を介して提供する報酬提供手段と、
を備えることを特徴とする報酬提供装置を提供する。
【００１７】
第２の特徴に係る発明によれば、報酬商品の排出口を備え、携帯端末、及びウェブサービス提供サーバと通信可能に接続された報酬提供装置は、前記携帯端末から、当該携帯端末、又はその使用者の少なくともいずれかを識別可能な識別子を受信し、前記ウェブサービス提供サーバが提供するウェブサービスにおける、前記識別子の会員登録状況を確認し、前記会員登録状況の確認によって、識別子が登録されていない状態から、識別子が登録された状態に変化した場合に、所定の報酬商品を前記報酬商品の排出口を介して提供する。
【００１８】
第３の特徴に係る発明は、近距離無線通信を行うための通信部を備え、前記携帯端末との通信を、近距離無線通信により行う第１又は第２の特徴に係る発明である報酬提供装置を提供する。
【００１９】
第３の特徴に係る発明によれば、第１又は第２の特徴に係る発明である報酬提供装置は、近距離無線通信を行うための通信部を備え、前記携帯端末との通信を、近距離無線通信により行う。
【００２０】
第４の特徴に係る発明は、前記所定の報酬商品ごとに、提供が行われる確率が記憶された報酬商品データベースを備え、前記報酬提供手段において、当該確率に基づいて報酬商品を前記報酬商品の排出口を介して提供する第１から第３のいずれかの特徴に係る発明である報酬提供装置を提供する。
【００２１】
第４の特徴に係る発明によれば、第１から第３のいずれかの特徴に係る発明である報酬提供装置は、前記所定の報酬商品ごとに、提供が行われる確率が記憶された報酬商品データベースを備え、前記報酬提供手段において、当該確率に基づいて報酬商品を前記報酬商品の排出口を介して提供する。
【００２２】
第５の特徴に係る発明は、報酬商品の排出口を備え、携帯端末と通信可能に接続された報酬提供装置に、
所定のアプリケーションを当該携帯端末にダウンロードさせるための情報を、当該携帯端末に送信するステップと、
前記携帯端末から、前記ダウンロードの進捗状況を受信するステップと、
前記受信した進捗に応じて、所定の報酬商品を前記報酬商品の排出口を介して提供するステップと、
を実行させることを特徴とする報酬提供方法を提供する。
【００２３】
第６の特徴に係る発明は、
報酬商品の排出口を備え、携帯端末と通信可能に接続された報酬提供装置に、
所定のアプリケーションを当該携帯端末にダウンロードさせるための情報を、当該携帯端末に送信するステップ、
前記携帯端末から、前記ダウンロードの進捗状況を受信するステップ、
前記受信した進捗に応じて、所定の報酬商品を前記報酬商品の排出口を介して提供するステップ、
を実行させることを特徴とする報酬提供装置用プログラムを提供する。
【発明の効果】
【００２４】
本発明によれば、携帯端末にアプリケーションをダウンロードさせ、または携帯端末を用いて会員登録を行わせる行為に対して、報酬排出口を介して即時かつ物理的に報酬を提供する報酬提供装置を提供することが可能となる。
【図面の簡単な説明】
【００２５】
【図１】図１は、本発明の好適な実施形態である報酬提供システム１の概要図である。
【図２】図２は、本発明の好適な実施形態である報酬提供システム１のシステム構成図である。
【図３】図３は、携帯端末１０、報酬提供装置１００、ウェブサービスサーバ２００の機能ブロックと各機能の関係を示す図である。
【図４】図４は、携帯端末１０、報酬提供装置１００、ウェブサービスサーバ２００が実行するアプリケーションダウンロード処理のフローチャート図である。
【図５】図５は、携帯端末１０、報酬提供装置１００、ウェブサービスサーバ２００が実行する会員登録処理のフローチャート図である。
【図６】図６は、携帯端末１０に表示されるアプリケーションのダウンロード画面の一例である。
【図７】図７は、会員情報データベース２５０内の、会員情報テーブルの一例である。
【図８】図８は、報酬情報データベース１５０内の、報酬情報テーブルの一例である。
【発明を実施するための形態】
【００２６】
以下、本発明を実施するための最良の形態について図を参照しながら説明する。なお、これはあくまでも一例であって、本発明の技術的範囲はこれに限られるものではない。
【００２７】
［報酬提供システム１の概要］
図１は、本発明の好適な実施形態である報酬提供システム１の概要を説明するための図である。この図１に基づいて、報酬提供システム１の概要を説明する。
【００２８】
ここで、携帯端末１０の利用者は、報酬提供装置１００の近距離におり、報酬提供装置１００から払い出される報酬を受け取れる位置にいるとする。また、実際の利用態様を鑑み、好適な実施例として、報酬提供装置１００は、報酬商品を販売もする自動販売機であってよい。初めに、携帯端末１０の利用者は、代金を払って自動販売機を利用するのではなく、アプリケーションをダウンロードして報酬を得る旨を報酬提供装置１００で選択する（ステップＳ０１）。
【００２９】
次に、無線通信や近距離無線通信を用いて、携帯端末１０を報酬提供装置１００から特定するための通信を開始する（ステップＳ０２）。それに対して報酬提供装置１００は、携帯端末１０に対してアプリケーションをダウンロードするために必要な情報を送信する（ステップＳ０３）。
【００３０】
ここで、アプリケーションをダウンロードするために必要な情報とは、アプリケーションをサーバから取得可能な場合はＵＲＬであってよいし、ダウンロードに際し他のアプリケーションを起動する必要がある場合には、その起動パラメータと起動命令であってもよい。また、アプリケーションのバイナリコード自体を報酬提供装置１００が送信可能な場合には、その旨をダウンロードするために必要な情報として送信してよい。
【００３１】
ここでは、アプリケーションはアプリケーションサーバ３００からダウンロードするものとし、携帯端末１０は、アプリケーションサーバ３００から必要な情報に従ってアプリケーションをダウンロードする（ステップＳ０４）。ここで、ダウンロードの最中も携帯端末１０と報酬提供装置１００の間にステップＳ０２で確立した通信は継続的または断続的に行われており、ダウンロードの進捗を報酬提供装置１００に送信している。
【００３２】
この後、ダウンロードの進捗が報酬提供装置１００に予め定められた状況まで達すると、報酬提供装置１００の報酬排出口を通じて報酬が提供される（ステップＳ０５）。ここで、予め定められた状況とは、ダウンロードの開始、ダウンロードの完了や、ダウンロード後のインストール等であって、報酬商品とアプリケーションの組み合わせごとに定められていてよい。
【００３３】
また、ユーザはアプリケーションのダウンロードに替えて、所定のウェブサービスにおいて会員登録を行うことで、報酬の提供を受けることができる。その場合、ユーザはステップＳ０１において、アプリケーションのダウンロードではなく、会員登録を選択する。
【００３４】
次に、携帯端末１０はステップＳ０２において、携帯端末１０又はその持ち主の識別を行うための識別子を、報酬提供装置１００に対して送信する。この識別子は、携帯端末１０が備える端末識別番号や、メールアドレス、電話番号、あるいは他のウェブサービスにおいて利用中のユーザＩＤ等であってよい。
【００３５】
次に、報酬提供装置１００は、ウェブサービスサーバ２００に対して受信した識別子を送信し、既に会員登録がされていないかを確認する（ステップＳ０６）。ウェブサービスサーバ２００は会員情報データベース２５０から会員情報を読み出し（ステップＳ０７）、報酬提供装置１００に対して結果を送信する（ステップＳ０８）。
【００３６】
未登録であった場合には、会員登録によって報酬を受け取る権利が発生するため、携帯端末１０は、ウェブサービスサーバ２００に対して会員登録手続きを実行する（ステップＳ０９）。なお、この会員登録手続きは、携帯端末１０に替えて報酬提供装置１００が行っても良い。また、ステップＳ０６において、会員として未登録である場合には、会員登録を続けて行うような要求を報酬提供装置１００が送信してもよい。
【００３７】
その後、報酬提供装置１００がウェブサービスサーバ２００から、初めに受信した識別子が会員として登録済みであり、つまり未登録から登録済みへ状態が変化したことを確認できた際には、報酬が排出口から提供される（ステップＳ０５）。
【００３８】
ここで経済的観点から見ると、報酬提供者は、ユーザがダウンロードや会員登録をした際の一人あたりの利益額、または利益の期待値を超える報酬は提供できず、逆に利益以下の報酬であれば、提供するほど得をすると言える。更に、報酬提供装置１００が複数のアプリケーション等を扱う事で一つのプラットフォームとなるため、ダウンロード毎に一定額の広告料を設定することで、報酬提供装置１００の提供者にも大きな恩恵がある。
【００３９】
一方で、従来の商品販売に係る広告では、煩雑な売買手続きを必要とするうえ、ユーザの利用頻度が圧倒的に減ってしまうため、無料の行動で通常は有償である商品が手に入るという機会をユーザに提供することが最も望ましい。ただし、このことは本報酬提供装置が有料のアプリケーションや会員登録を扱うことを妨げない。
【００４０】
以上が、報酬提供システム１の概要である。
【００４１】
［報酬提供システム１のシステム構成］
図２は、本発明の好適な実施形態である報酬提供システム１のシステム構成図である。報酬提供システム１は、携帯端末１０、報酬提供システム１００、ウェブサービスサーバ２００、アプリケーションサーバ３００、公衆回線網３（インターネット網や第３世代、第４世代通信網など）から構成される。
【００４２】
ここで、携帯端末１０は、公衆回線網３を介して、ウェブサービスサーバ２００、及びアプリケーションサーバ３００と通信可能に接続されている。また、報酬提供装置１００とウェブサービスサーバ２００は、公衆回線網３を介して通信可能に接続されている。また、携帯端末１０と報酬提供システム１００とは、無線通信、特に近距離無線通信で、通信可能に接続されている。
【００４３】
携帯端末１０は、ユーザがアプリケーションのダウンロードや、ウェブサービスの会員登録を行うための一般的な情報端末であってよく、後述する機能を備える情報機器や電化製品である。携帯端末１０は、例えば、携帯電話、スマートフォン、テレビ、ルータ、コンピュータに加えて、電話機、ネットブック端末、スレート端末、電子書籍端末、電子辞書端末、携帯型音楽プレーヤ、携帯型コンテンツ再生・録画プレーヤ等の一般的な情報家電であってよい。
【００４４】
報酬提供装置１００は、携帯端末１０に所定の動作をさせ、その進捗に対して報酬を提供する装置であって、後述の機能と、報酬の排出口を備える。
【００４５】
ウェブサービスサーバ２００は、ウェブサービスを提供する、通常のサーバであってよい。
【００４６】
アプリケーションサーバ３００は、携帯端末１０にアプリケーションをダウンロードさせるための通常のサーバであって、報酬提供装置１００がこの役割を備える場合においては、必須の構成ではない。
【００４７】
［各機能の説明］
図３は、携帯端末１０、報酬提供装置１００、ウェブサービスサーバ２００の機能ブロックと各機能の関係を示す図である。
【００４８】
携帯端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。また、通信部１２は、Ｂｌｕｅｔｏｏｔｈ（登録商標）、ＲＦＩＤ、ＺｉｇＢｅｅ（登録商標）等のＮＦＣ、いわゆる近距離無線通信規格にも対応可能であるものとする。
【００４９】
さらに、携帯端末１０は、入出力部１３として、制御部で制御したデータや画像を出力表示する表示部を備え、かつ、ユーザからの入力を受付けるタッチパネルやキーボード、マウス等を備える。
【００５０】
携帯端末１０において、制御部１１が所定のプログラムを読み込むことで、通信部１２と協働して、ダウンロードモジュール１４、進捗送信モジュール１５、識別子送信モジュール１６を実現する。また、携帯端末１０において、制御部１１が所定のプログラムを読み込むことで、入出力部１３と協働して、手続同意モジュール１８を実現する。
【００５１】
報酬提供装置１００は、同様に、制御部１０１として、ＣＰＵ，ＲＡＭ，ＲＯＭ等を備え、通信部１０２として、例えば、ＩＥＥＥ８０２．１１に準拠したＷｉＦｉ対応デバイスを備える（有線であってもよい）。また、通信部１０２は、Ｂｌｕｅｔｏｏｔｈ（登録商標）、ＲＦＩＤ、ＺｉｇＢｅｅ（登録商標）等のＮＦＣ、いわゆる近距離無線通信規格にも対応可能であるものとする。加えて、報酬提供装置１００は、記憶部１０３として、ハードディスクや半導体メモリによる、データのストレージ部を備える。報酬提供装置１００は、記憶部１０３に、報酬情報データベース１５０を備える。そのほか、報酬提供装置１００は、報酬の排出口である、報酬提供部１１０を備える。この報酬提供部１１０は、ポイント付与等の仮想敵な報酬の提供処理を行うのではなく、物理的に報酬の排出を行う提供部に限定される。
【００５２】
報酬提供装置１００の制御部１０１が所定のプログラムを読み込むことで、通信部１０２と協働して、ダウンロード指示モジュール１０４、進捗確認モジュール１０５、識別子受信モジュール１０６、会員登録状況確認モジュール１０７、会員登録手続きモジュール１０８を実現する。また、報酬提供装置１００の制御部１０１が所定のプログラムを読み込むことで、記憶部１０３、及び報酬提供部１１０と協働して、報酬提供モジュール１０９を実現する。
【００５３】
ウェブサービスサーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイスを備える（有線であってもよい）。加えて、ウェブサービスサーバ２００は、記憶部２０３として、ハードディスクや半導体メモリによる、データのストレージ部を備える。ウェブサービスサーバ２００は、記憶部２０３に、会員情報データベース２５０を備える
【００５４】
ウェブサービスサーバ２００の制御部２０１が所定のプログラムを読み込むことで、通信部２０２と協働して、識別子受信モジュール２０４を実現する。また、ウェブサービスサーバ２００の制御部２０１が所定のプログラムを読み込むことで、通信部２０２、及び記憶部２０３と協働して、会員情報送信モジュール２０５を実現する。また、ウェブサービスサーバ２００の制御部２０１が所定のプログラムを読み込むことで、記憶部２０３と協働して、会員登録モジュール２０６を実現する。
【００５５】
［アプリケーションダウンロード処理］
図４は、携帯端末１０、ウェブサービスサーバ２００が実行するアプリケーションダウンロード処理のフローチャートである。上述した各装置のモジュールが行う処理について、本処理にて併せて説明する。
【００５６】
初めに、報酬提供装置１００のダウンロード指示モジュール１０４は、携帯端末１０に対してダウンロード情報を送信する（ステップＳ１１）。ここでダウンロード情報とは、アプリケーションのダウンロードに必要な情報を含む情報である。
【００５７】
アプリケーションをダウンロードするために必要な情報とは、アプリケーションをサーバから取得可能な場合はＵＲＬであってよいし、ダウンロードに際して、管理や認証のために他のアプリケーションを起動する必要がある場合には、その起動パラメータと起動命令であってもよい。また、アプリケーションのバイナリコード自体を報酬提供装置１００が送信可能な場合には、その旨をダウンロードに必要な情報として送信してよい。
【００５８】
携帯端末１０のダウンロードモジュール１４がダウンロードに必要な情報を受信すると（ステップＳ１２）、携帯端末１０の手続き同意モジュール１８は、ユーザがダウンロードに同意するかを問い合わせる（ステップＳ１３）。なお、この処理は必須の構成要素ではなく、ユーザの同意が必要でない場合は省略してよい。
【００５９】
ここで、ユーザがダウンロードに同意しない場合（ステップＳ１３：「ＮＯ」の場合）には、アプリケーションダウンロード処理はそのまま終了し、報酬は提供されない。一方、ユーザがダウンロードに同意する場合（ステップＳ１３：「ＹＥＳ」の場合）は、ダウンロードモジュール１４により、アプリケーションのダウンロードが開始される（ステップＳ１４）。
【００６０】
図６は、携帯端末１０に表示されるアプリケーションのダウンロード画面の一例である。アプリケーションのアイコン６１、名称６２とともに、ダウンロードに同意を求めるメッセージ６３が表示され、必要な場合はソフトウェアサーバにログインするためのログインフォーム６４が表示されるのに加え、ダウンロードボタン６５を押し下げることでダウンロードに同意したと見なされ、ダウンロードが開始される。ここで、メッセージ６６のように、必要であればダウンロードの対価である報酬商品を示してもよい。
【００６１】
アプリケーションのダウンロード中は、所定の間隔で、または報酬提供装置１００からの問い合わせにより、携帯端末１０の進捗送信モジュール１５が、ダウンロードの進捗状況を報酬提供装置１００に送信する（ステップＳ１５）。当該進捗状況の送信後は、ダウンロードの完了を判定し、ダウンロードが完了していない場合（ステップＳ１６：「ＮＯ」の場合）には、進捗状況の送信を繰り返す。ダウンロードの完了後（ステップＳ１６：「ＹＥＳ」の場合）は、携帯端末１０は、能動的な進捗状況の送信を終了する。
【００６２】
ここで進捗状況とは、ダウンロードの開始、ダウンロードが完了した分のデータ量、ダウンロードの完了に加え、ダウンロード後に続けてアプリケーションが実行やインストールをされることが自然である媒体においては、当該実行やインストール状況も含める。すなわち、ここでいうダウンロードとは、単なる装置から装置へのデータの転送にとどまらず、受信装置において当該データが実行可能な状態に置かれることまでを含めて指す。
【００６３】
一方、報酬提供装置１００の進捗確認モジュール１５が進捗状況を受信すると（ステップＳ１７）、報酬提供モジュール１０９は、報酬情報データベース１５０から、受信した進捗が報酬を提供するための基準に達しているかの情報を抽出し、報酬が提供できるかを判断する（ステップＳ１８）。ここで、報酬を提供するべき所定の進捗に達していない場合（ステップＳ１８：「ＮＯ」）の場合には、報酬を提供せず引き続き進捗状況を受信する。一方、所定の進捗に達している場合（ステップＳ１８：「ＹＥＳ」）の場合には、報酬提供モジュール１０９が報酬を払い出し（ステップＳ１９）、処理を終了する。
【００６４】
なお、報酬情報データベース１５０において、一つのアプリケーションのダウンロードにつき、進捗に応じて異なる複数の報酬が登録されていてもよい。例えば、ダウンロードの開始時と、ダウンロードの完了時と、アプリケーションの初回起動時とで、異なる報酬が払い出されてよい。これらの報酬は、累積して提供されてもよいし、最も後の進捗に関連付けられた報酬が優先的に提供されてもよいし、ユーザによって選択可能であってもよい。
【００６５】
また、報酬情報データベース１５０において、報酬ごとに報酬が払い出される確率を設定することにより、くじや懸賞を行うことが可能である。図８は、報酬情報データベース１５０内の報酬情報テーブルの一例である。図８に示されるように、各報酬商品には当該商品が提供される確率が設定されており、その抽選に当選した際にのみ、当該商品が払い出されるようになっている。この抽選は、福引きのように複数の商品で確率分布を構成し、いずれか一つの商品が提供されるように行ってもよいし、独立に同時抽選を行っても良い。また、抽選に漏れた結果として、報酬商品が払い出されない場合があってもよい。
【００６６】
以上が、アプリケーションダウンロード処理の手順である。
【００６７】
［会員登録処理］
図５は、携帯端末１０、報酬提供装置１００、ウェブサービスサーバ２００が実行する商品購入申し込み処理のフローチャートである。上述した各装置のモジュールが行う処理について、本処理にて併せて説明する。
【００６８】
初めに、携帯端末１０の識別子送信モジュール１６は、報酬提供装置１００に対して、携帯端末１０、又はその持ち主を識別するための識別子を送信する（ステップＳ２１）。この識別子は、携帯端末１０が備える端末識別番号や、メールアドレス、電話番号、あるいは他のウェブサービスにおいて利用中のユーザＩＤ等であってよい。
【００６９】
次に、報酬提供装置１００の会員登録状況確認モジュール１０７は、ウェブサービスサーバ２００に対して、携帯端末１０から受信した識別子の会員登録状況の確認要求を送信する（ステップＳ２２）。
【００７０】
ウェブサービスサーバ２００の会員情報送信モジュール２０５は、確認要求を受信すると（ステップＳ２３）、確認要求に含まれる識別子を用いて、会員情報データベース２５０から会員情報を抽出する（ステップＳ２４）。その後、抽出された会員情報の有無によって、当該識別子の会員登録状況を報酬提供装置１００に送信する（ステップＳ２５）。
【００７１】
図７は、会員情報データベース２５０内の会員情報テーブルの一例である。会員情報テーブルには、ウェブサービスにおける会員の情報が記憶されている。ここで、受信した識別子は、アプリケーション連携を利用した他のアプリケーション上で用いられるＩＤである場合や、電話番号、メールアドレス、端末ＩＤ等であることが考えられる。会員情報送信モジュール２０５は、会員情報テーブルから受信した識別子を用いて会員情報を抽出し、もし該当する会員情報がなければ、その識別子は未登録であると判断する。
【００７２】
次に、報酬提供装置１００の会員登録状況確認モジュール１０７は、会員登録状況を受信する（ステップＳ２６）。そして、識別子が会員登録済みであった場合（ステップＳ２７：「ＹＥＳ」の場合）には、会員登録に対する報酬は提供できないため、そのまま会員登録処理を終了する。一方、識別子が未登録であった場合（ステップＳ２７：「ＮＯ」の場合）には、続けて登録手続きのための情報を携帯端末１０に送信する（ステップＳ２８）。
【００７３】
ここで、登録手続きのための情報とは、例えばウェブサービスサーバ２００がＨＴＴＰで会員登録フォームを用意している場合には、そのＵＲＬが該当する。また、会員登録にクライアントアプリケーションが必要である場合には、アプリケーションの起動命令や、アプリケーションのダウンロードに必要な情報が登録手続きのための情報に含まれる。
【００７４】
次に、携帯端末１０は登録手続きのための情報を受信し（ステップＳ２９）、手続き同意モジュール１８がユーザに対して、会員登録に同意するかを問い合わせる（ステップＳ３０）。ここで、ユーザが会員登録に同意しない場合（ステップＳ３０：「ＮＯ」の場合）には、処理をそのまま終了する。
【００７５】
一方、ユーザが会員登録に同意する場合（ステップＳ３０：「ＹＥＳ」の場合）には、携帯端末１０の識別子送信モジュール１６が、受信した登録手続きのための情報に従い、ウェブサービスサーバ２００に対して会員登録要求を送信する（ステップＳ３１）。なお、この会員登録要求の送信は、報酬提供装置１００が行ってもよい。
【００７６】
次に、ウェブサービスサーバ２００の識別子受信モジュール２０４が会員登録要求を受信し（ステップＳ３２）、会員登録モジュール２０６が会員登録処理を実行する（ステップＳ３３）。
【００７７】
その後、ウェブサービスサーバ２００の会員情報送信モジュール２０５は、ステップＳ２５と同様に会員登録状況を報酬提供装置１００に送信する（ステップＳ３４）。この送信は、報酬提供装置１００からの要求に応じて行ってもよいし、ステップＳ２３で受信した識別子が会員登録された時に、自動で送信されるように設定されていてもよい。
【００７８】
報酬提供装置１００の会員登録状況確認モジュール１０７は、会員登録状況を受信する（ステップＳ３５）。そして、受信した会員登録状況が登録済みであった場合（ステップＳ３６：「ＹＥＳ」の場合）には、所定の報酬を、報酬提供部を介して提供する（ステップＳ３７）。一方、受信した会員登録状況が登録済みではなかった場合（ステップＳ３７：「ＮＯ」の場合）には、報酬の提供を行わず、処理を終了する。
【００７９】
すなわち、本処理において、ステップＳ２７において未登録であった識別子が、ステップＳ３６において会員として登録済みであることを確認することで、報酬提供装置１００は報酬を提供する。
【００８０】
以上が、会員登録処理の手順である。なお、昨今では携帯端末上で動作するアプリケーションによって会員登録を行うプラットフォームも増加している。そのような場合には、先述のアプリケーションダウンロード処理に続けて本会員登録処理を実行することで、一連の会員登録に必要な処理と、それに対する報酬の提供を行うことが可能となっている。
【００８１】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００８２】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８３】
１  報酬提供システム
３  公衆回線網
１０  携帯端末
１００  報酬提供装置
１５０  報酬情報データベース
２００  ウェブサービスサーバ
２５０  会員情報データベース
３００  アプリケーションサーバ
【図１】
2014241006.tif 000003
【図２】
2014241006.tif 000004
【図３】
2014241006.tif 000005
【図４】
2014241006.tif 000006
【図５】
2014241006.tif 000007
【図６】
2014241006.tif 000008
【図７】
2014241006.tif 000009
【図８】
2014241006.tif 000010